【事件の表示】
　特許第３０２７８３９号「液晶プロジェクタ」の請求項１、２に係る特許に対する特許異議の申立てについて、次のとおり決定する。
【結　論】
　訂正を認める。
　特許第３０２７８３９号の請求項１、２に係る特許を維持する。
【理　由】
 （１）手続の経緯
　特許第３０２７８３９号の請求項１及び２に係る発明は、平成３年２月２７日に特許出願され、平成１２年２月４日にその特許の設定登録がなされ、その後異議申立人セイコーエプソン株式会社により特許異議の申立がなされ、取消理由通知がなされ、その指定期間内である平成１３年２月５日に訂正請求がなされたものである。
　
（２）訂正の適否についての判断
　（ア）訂正の内容
訂正事項ａ
　特許請求の範囲の請求項１において、
「液晶表示パネルと光源と複数の冷却用ファンとを本体ケースに備えた液晶プロジェクタにおいて、
　前記本体ケースの前記液晶表示パネル近傍に吸気口を設け、
　前記本体ケースの前記光源近傍に排気口を設け、
　この排気口に対応して第１の冷却用ファンを設け、
　前記本体ケース内における前記第１の冷却用ファンによる空気流の前記光源と前記液晶表示パネルとの間に第２の冷却用ファンを設けてなることを特徴とする液晶プロジェクタ。」を
「液晶表示パネルと光源と複数の冷却用ファンとを本体ケースに備えた液晶プロジェクタにおいて、
　前記本体ケースの前記液晶表示パネル近傍に吸気□を設け、
　前記本体ケースの前記光源近傍に排気口を設け、
　この排気口に対応して第１の冷却用ファンを設け、
　前記本体ケース内における前記第１の冷却用ファンによる空気流の前記光源と前記液晶表示パネルとの間に第２の冷却用ファンを設け、
　前記本体ケース内に前記第２の冷却用ファンから送出される空気流を前記光源近傍へ導くダクトとを設けてなることを特徴とする液晶プロジェクタ。」と訂正する。
　
訂正事項ｂ
　特許請求の範囲の請求項２において、
「液晶表示パネルと光源と複数の冷却用ファンとを本体ケースに備えた液晶プロジェクタにおいて、
　前記本体ケースに吸気口と排気口をそれぞれ１つづつ設け、
　前記本体ケース内における空気流に対して、前記複数の冷却用ファンと前記液晶表示パネルと前記光源とがすべて直列に設けられてなることを特徴とする液晶プロジェクタ。」を
「Ｒ用液晶表示パネルとＧ用液晶表示パネルとＢ用液晶表示パネルと光源と複数の冷却用ファンとを本体ケースに備えた液晶プロジェクタにおいて、
　前記本体ケースに吸気口と排気口をそれぞれ１つづつ設け、
　前記本体ケース内における空気流に対して、前記複数の冷却用ファンと前記Ｒ用液晶表示パネルとＧ用液晶表示パネルとＢ用液晶表示パネルと前記光源とがすべて直列に設けられてなることを特徴とする液晶プロジェクタ。」と訂正する。
　
訂正事項ｃ
　明細書の段落【０００６】【課題を解決するための手段】の
「請求項１記載の発明は、液晶表示パネルと光源と複数の冷却用ファンとを本体ケースに備えた液晶プロジェクタにおいて、本体ケースの前記液晶表示パネル近傍に吸気口を設け、本体ケースの前記光源近傍に排気口を設け、この排気口に対応して第１の冷却用ファンを設け、本体ケース内における第１の冷却用ファンによる空気流の光源と液晶表示パネルとの間に第２の冷却用ファンを設けるようにしたものである。請求項２記載の発明は、液晶表示パネルと光源と複数の冷却用ファンとを本体ケースに備えた液晶プロジェクタにおいて、本体ケースに吸気口と排気口をそれぞれ１つづつ設け、本体ケース内における空気流に対して、複数の冷却用ファンと液晶表示パネルと前記光源とがすべて直列になるように設けたものである。」を
「請求項１記載の発明は、液晶表示パネルと光源と複数の冷却用ファンとを本体ケースに備えた液晶プロジェクタにおいて、前記本体ケースの前記液晶表示パネル近傍に吸気口を設け、前記本体ケースの前記光源近傍に排気口を設け、この排気口に対応して第１の冷却用ファンを設け、前記本体ケース内における前記第１の冷却用ファンによる空気流の前記光源と前記液晶表示パネルとの間に第２の冷却用ファンを設け、前記本体ケース内に前記第２の冷却用ファンから送出される空気流を前記光源近傍へ導くダクトとを設けるようにしたものである。請求項２記載の発明は、Ｒ用液晶表示パネルとＧ用液晶表示パネルとＢ用液晶表示パネルと光源と複数の冷却用ファンとを本体ケースに備えた液晶プロジェクタにおいて、前記本体ケースに吸気口と排気口をそれぞれ１つづつ設け、前記本体ケース内における空気流に対して、前記複数の冷却用ファンと前記Ｒ用液晶表示パネルとＧ用液晶表示パネルとＢ用液晶表示パネルと前記光源とがすべて直列に設けたものである。」と訂正する。
　
　（イ）訂正の目的の適否、新規事項の有無及び拡張・変更の存否
　訂正事項ａ及びｂに係る訂正は、特許請求の範囲の減縮に該当し、実質的に特許請求の範囲を拡張又は変更するものではないし、新規事項の追加にも該当しない。
　
　訂正事項ｃに係る訂正は、明瞭でない記載の釈明に該当し、実質的に特許請求の範囲を拡張又は変更するものではないし、新規事項の追加にも該当しない。
　
　（ウ）むすび
　以上のとおりであるから、上記訂正は特許法等の一部を改正する法律（平成６年法律第１１６号）（以下「平成６年改正法」という。）附則第６条第１項の規定によりなお従前の例によるとされる、特許法第１２０条の４第３項において準用する平成６年改正法による改正前の特許法第１２６条第１項ただし書及び第２項の規定に適合するので、当該訂正を認める。
　
（３）特許異議の申立について
　（ア）申立の理由の概要
　申立人セイコーエプソン株式会社は、証拠として甲第１号証（特開平１−３０２３８７号公報）、甲第２号証（特願平２−１７１５７２号）、甲第３号証（特開昭６１−１０３１３５号公報）を提出し、本件請求項１に係る発明の特許は、甲第１号証記載の発明に基づいて当業者が容易に発明することができたものであり、本件請求項２に係る発明の特許は、甲第３号証記載の発明に基づいて当業者が容易に発明することができたものであるので特許法第２９条第２項の規定に違反してなされたものである。さらに、本件請求項２に係る発明の特許は、その出願の日前の出願であって、その出願後に出願公開された甲第２号証（特願平２−１７１５７２号）の願書に最初に添付した明細書又は図面に記載された発明と同一であると認められ、しかも、請求項２に係る発明の発明者が甲第２号証（特願平２−１７１５７２号）に記載された発明の発明者と同一であるとも、この出願の時において、その出願人が上記他の出願の出願人と同一であるとも認められないので、請求項２に係る発明の特許は特許法第２９条の２第１項の規定に違反してなされたものであるので、本件請求項１及び２に係る発明の特許を取り消すべき旨主張している。
　
　（イ）本件請求項１及び２に係る発明
　上記「（２）訂正の適否についての判断」で示したように上記訂正が認められるから、本件請求項１及び２に係る発明は、上記訂正請求に係る訂正明細書の特許請求の範囲の請求項１及び２に記載された事項により特定される次のとおりのものである。
「【請求項１】　液晶表示パネルと光源と複数の冷却用ファンとを本体ケースに備えた液晶プロジェクタにおいて、
　前記本体ケースの前記液晶表示パネル近傍に吸気□を設け、
　前記本体ケースの前記光源近傍に排気口を設け、
　この排気口に対応して第１の冷却用ファンを設け、
　前記本体ケース内における前記第１の冷却用ファンによる空気流の前記光源と前記液晶表示パネルとの間に第２の冷却用ファンを設け、
　前記本体ケース内に前記第２の冷却用ファンから送出される空気流を前記光源近傍へ導くダクトとを設けてなることを特徴とする液晶プロジェクタ。
　
【請求項２】　Ｒ用液晶表示パネルとＧ用液晶表示パネルとＢ用液晶表示パネルと光源と複数の冷却用ファンとを本体ケースに備えた液晶プロジェクタにおいて、
　前記本体ケースに吸気口と排気口をそれぞれ１つづつ設け、
　前記本体ケース内における空気流に対して、前記複数の冷却用ファンと前記Ｒ用液晶表示パネルとＧ用液晶表示パネルとＢ用液晶表示パネルと前記光源とがすべて直列に設けられてなることを特徴とする液晶プロジェクタ。」
　
　（ウ）引用刊行物
　本件請求項１及び２に係る発明に対して、当審が平成１２年１１月２８日付で通知した取消理由で引用した刊行物１〔甲第１号証（特開平１−３０２３８７号公報）〕には、
「直方体ケース１は第２図に示すように、底板１Ａと正面板１Ｂと背面板１Ｃと、両側板と一体の天板１Ｄとに分離可能に形成されている。
　底板１Ａの下面の前部に、投写方向の上下調節を行うためのねじ付脚２が左右一対設けられている。また後述の光学ヘッドユニットの下方に位置する部分に換気スリット３が開いている。」（第３頁右上欄第１１〜１７行）
　
「天板１Ｄの中央より電源部側に寄った位置に換気スリット１３が広い範囲にわたって設けられている。」（第３頁左下欄第１８〜２０行）
　
「底板１Ａの上にベースプレート１４が取外しできるようにビス等で取付けられている。
　上記ベースプレート１４の上に、ランプハウジングユニット１５とライトガイドユニット１６と光学ヘッドユニット１７を、主光路が平面から見てＬ形となるように配置し（第９図参照）」（第３頁右下欄第３〜８行）
　
「そして光学ヘッドユニット１７の下方でベースプレート１４に平形のプロペラファン２１が取付けられており、ケース底板１Ａの換気スリット３から吸込んだ外気を光学ヘッドユニット１７に吹付け、特にライトバルブの偏光板を冷却する。また主光路がＬ形になるように各ユニットを配置した結果形成された、ライトガイドユニット１６とランプハウジングユニット１５とケース１の一方の側面１Ｅおよび正面１Ｂとによって囲まれる空所Ｓ（第９図参照）において、ベースプレート１４にシロッコファン２２が取付けられており、ランプハウジングユニット１５が発する熱を、そのユニット１５の近傍から吸込んだ外気の流れに乗せて天板１Ｄの換気スリット１３から強制排気する。電源ユニット１９の熱および前記光学ヘッドユニット１７を冷やして温まった空気も同時に排気する。」（第４頁左上欄第５行〜同頁右上欄第１行）
　
「ランプハウジングユニット１５は第４図および第５図の分解斜視図に示すように、箱形フレーム２５Ａ・２５Ｂの中にハロゲンランプを可とする投写光源ランプ２６を支持している。」（第４頁右上欄第８〜１１行）
　
「上記平面視コ字形のライトガイドユニット１６の中央の空所に光学ヘッドユニット１７が配置され、光合成プリズム５３およびそのプリズム５３の３面に各々配置した液晶ライトバルブ５４・５５・５６が、ライトガイドユニット１６のダイクロイックミラー系で色分離された青色光・緑色光および赤色光の各光路に合致している。」（第５頁右上欄第８〜１４行）が記載されている。
　
　本件請求項２に係る発明に対して、取消理由で引用した刊行物２〔甲第３号証（特開昭６１−１０３１３５号公報）〕には、
「第１図は本発明の冷却装置を具えたオーバヘッドタイプ幻灯機の好適な一実施例を示す。オーバヘッドタイプ幻灯機のべース１に、伝熱性に優れ筒形状をしたランプハウス２を固定する。このランプハウス２内には、光束を上方に屈曲させる反射鏡８、水平方向に互いに平行に離間し支柱３で保持されたそれぞれの取り付け部材に第１フィルター４、第１コンデンサーレンズ５、光源ランプ６、そして光源ミラー７が収納されている。さらに、ランプハウス２の一側部に吸い込みパイプ９を介して吸引ファン１０を連結すると共に、ランプハウス２の上端開口部に、第２図に示す四角形の筒状支持部材１１を取り付ける。」（第２頁右下欄第１３行〜第３頁左上欄第５行）
　
「なお、支持部材１１は、連結チューブ１３を介して吹出しファン１４に連結され支持部材１１に一体に形成された第１の空気吹き出し口１５と、ランプハウス２を経て吸引ファンに連結する吸引口１６とを有する。」（第３頁左上欄第８〜１２行）
　
「次に本発明の冷却装置の動作を説明する。吹出しファン１４を駆動すると空気は第４図に示す如く、連結チューブ１３を通り、第１の空気吹出し口１５から斜め上方に吹き出される。吹き出された空気の一部は空気流入口２４を通り、スライドフィルム２０と底壁２２との間に形成された空間内に侵入し、スライドフィルム底面及びスライドファイルシートの底壁上面を冷却し、空気流出□２５を経て下方に吹き出す。これに対し、空気吹出し口１５から吹き出された空気の残部は筒状支持部材１１に保持された第２コンデンサ−レンズを冷却しながら吸引口１６を経てランプハウス２内に吸引される。吹出された空気の残部は同時にスライドファイルシート１８の底壁２２の下面に当りシート１８を冷却すると共に、スライドフィルム２０を冷却し空気流出口２５から吹出された空気と合流し、更に第２コンデンサーレンズを冷却し、吸引口１６を経てランプハウス２内に吸引される。従って、スライドフィルム２０、第２コンデンサーレンズ１２、および筒状支持部材の内部も一様に冷却される。この時、吸引ファン１０も同時に駆動することは言うまでもない。
　ランプハウス２内では、従来の装置と同様に、空気はランプハウス２の壁面、反射鏡８、フィルター４、第１コンデンサーレンズ５などを冷却しながら次第に温度上昇し、最後に光源ランプ６および光源ミラー７を冷却して、吸い込みパイプ９へ吸入される。」（第３頁右上欄第１４行〜同頁右下欄第１行）
　
「すなわち、吸引空気流通路と吹出し空気流通路とに交差して貫通する駆動軸に吸引ファン１０及び吹出しファン１４を通路壁を介して直列に固定する。」（第４頁左上欄第１〜４行）
　
「また吸引ファンと吹出しファンとを同一の駆動軸に固定することにより、幻灯機の外径寸法を大きくすることなく所望の冷却効果を達成し得る。」（第４頁左上欄第１９行〜同頁右上欄第２行）が記載されている。
　
　本件請求項２に係る発明に対して、取消理由で引用した特願平２−１７１５７２号〔甲第２号証（特開平４−６０５３３号公報参照）〕の願書に最初に添付した明細書又は図面には、
「液晶プロジェクターＰ’は、例えば、第３図で示すように、リフレクター１付の光源２と、コールドミラー３と、色分離用のダイクロイックミラー４，５と、光路変換用の反射ミラー６，７と、色合成用のダイクロイックミラー８，９と、３原色Ｒ，Ｇ，Ｂの液晶パネル１０Ｒ，１０Ｇ，１０Ｂおよび投写レンズ１１とから構成されている。」（公報第１頁右欄第１〜７行）
　
「液晶を保護するために冷却が必要となる。この冷却は、第４図で示すように、側面に設けた一台の冷却ファン１３’で外気を吸引し、各液晶パネル１０Ｒ，１０Ｇ，１０Ｂを通してから、排気ファン３１で上昇した空気を排出していた。」（公報第２頁左上欄第３〜７行）が記載されている。
　
　（エ）対比・判断
　本件請求項１に係る発明と上記刊行物１（甲第１号証）に記載の発明とを対比すると、刊行物１に記載の発明は、本件請求項１に係る発明を特定する事項である「第１の冷却用ファンによる空気流の光源と液晶表示パネルとの間に第２の冷却用ファンを設け、本体ケース内に第２の冷却用ファンから送出される空気流を光源近傍へ導くダクトを設け」た点を備えておらず、この点により本件請求項１に係る発明は、平成１３年２月５日付特許異議意見書第４頁第１９〜２１行に記載の「第２の冷却用ファンによって単に液晶表示パネルの冷却を行なわせるだけでなく、積極的に光源部の冷却にも寄与させて効率よく冷却を行なう」という効果を奏するものであり、本件請求項１に係る発明が上記刊行物１に記載された発明であるとも、刊行物１記載の発明から容易に推考することができたものともいえない。
　
　本件請求項２に係る発明と上記刊行物１あるいは２（甲第１あるいは３号証）に記載の発明とを対比すると、刊行物１あるいは２に記載の発明は、本件請求項２に係る発明を特定する事項である「本体ケース内における空気流に対して、Ｒ用液晶表示パネルとＧ用液晶表示パネルとＢ用液晶表示パネルが直列に設けられて」いる点を備えておらず、この点により本件請求項２に係る発明は、平成１３年２月５日付特許異議意見書第５頁第１９行に記載の「冷却ファンの径を小型にできる」という効果を奏するものであり、本件請求項２に係る発明が上記刊行物１あるいは２に記載された発明であるとも、刊行物１あるいは２に記載の発明から容易に推考することができたものともいえない。
　
　本件請求項２に係る発明と上記特願平２−１７１５７２号（甲第２号証）に記載の発明とを対比すると、特願平２−１７１５７２号（甲第２号証）に記載の発明は、本件請求項２に係る発明を特定する事項である「本体ケース内における空気流に対して、Ｒ用液晶表示パネルとＧ用液晶表示パネルとＢ用液晶表示パネルが直列に設けられて」いる点を備えておらず、この点が自明ないし技術常識であるとも言えず、本件請求項２に係る発明が、その出願の日前の出願であって、その出願後に出願公開された上記特願平２−１７１５７２号（甲第２号証）の願書に最初に添付した明細書又は図面に記載された発明と同一であるとは認められない。
　
　（オ）むすび
　以上のとおりであるから、特許異議の申立の理由及び証拠によっては、本件請求項１及び２に係る発明についての特許を取り消すことはできない。
　また、他に本件請求項１及び２に係る発明についての特許を取り消すべき理由を発見しない。
　したがって、本件請求項１及び２に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年３月２６日（２００１．３．２６）
【訂正の要旨】
　（訂正の要旨）
訂正事項ａ
　特許請求の範囲の請求項１において、
「液晶表示パネルと光源と複数の冷却用ファンとを本体ケースに備えた液晶プロジェクタにおいて、
　前記本体ケースの前記液晶表示パネル近傍に吸気口を設け、
　前記本体ケースの前記光源近傍に排気口を設け、
　この排気口に対応して第１の冷却用ファンを設け、
　前記本体ケース内における前記第１の冷却用ファンによる空気流の前記光源と前記液晶表示パネルとの間に第２の冷却用ファンを設けてなることを特徴とする液晶プロジェクタ。」を
「液晶表示パネルと光源と複数の冷却用ファンとを本体ケースに備えた液晶プロジェクタにおいて、
　前記本体ケースの前記液晶表示パネル近傍に吸気□を設け、
　前記本体ケースの前記光源近傍に排気口を設け、
　この排気口に対応して第１の冷却用ファンを設け、
　前記本体ケース内における前記第１の冷却用ファンによる空気流の前記光源と前記液晶表示パネルとの間に第２の冷却用ファンを設け、
　前記本体ケース内に前記第２の冷却用ファンから送出される空気流を前記光源近傍へ導くダクトとを設けてなることを特徴とする液晶プロジェクタ。」と訂正する。
訂正事項ｂ
　特許請求の範囲の請求項２において、
「液晶表示パネルと光源と複数の冷却用ファンとを本体ケースに備えた液晶プロジェクタにおいて、
　前記本体ケースに吸気口と排気口をそれぞれ１つづつ設け、
　前記本体ケース内における空気流に対して、前記複数の冷却用ファンと前記液晶表示パネルと前記光源とがすべて直列に設けられてなることを特徴とする液晶プロジェクタ。」を
「Ｒ用液晶表示パネルとＧ用液晶表示パネルとＢ用液晶表示パネルと光源と複数の冷却用ファンとを本体ケースに備えた液晶プロジェクタにおいて、
　前記本体ケースに吸気口と排気口をそれぞれ１つづつ設け、
　前記本体ケース内における空気流に対して、前記複数の冷却用ファンと前記Ｒ用液晶表示パネルとＧ用液晶表示パネルとＢ用液晶表示パネルと前記光源とがすべて直列に設けられてなることを特徴とする液晶プロジェクタ。」と訂正する。
訂正事項ｃ
　明細書の段落【０００６】【課題を解決するための手段】の
「請求項１記載の発明は、液晶表示パネルと光源と複数の冷却用ファンとを本体ケースに備えた液晶プロジェクタにおいて、本体ケースの前記液晶表示パネル近傍に吸気口を設け、本体ケースの前記光源近傍に排気口を設け、この排気口に対応して第１の冷却用ファンを設け、本体ケース内における第１の冷却用ファンによる空気流の光源と液晶表示パネルとの間に第２の冷却用ファンを設けるようにしたものである。請求項２記載の発明は、液晶表示パネルと光源と複数の冷却用ファンとを本体ケースに備えた液晶プロジェクタにおいて、本体ケースに吸気口と排気口をそれぞれ１つづつ設け、本体ケース内における空気流に対して、複数の冷却用ファンと液晶表示パネルと前記光源とがすべて直列になるように設けたものである。」を
「請求項１記載の発明は、液晶表示パネルと光源と複数の冷却用ファンとを本体ケースに備えた液晶プロジェクタにおいて、前記本体ケースの前記液晶表示パネル近傍に吸気口を設け、前記本体ケースの前記光源近傍に排気口を設け、この排気口に対応して第１の冷却用ファンを設け、前記本体ケース内における前記第１の冷却用ファンによる空気流の前記光源と前記液晶表示パネルとの間に第２の冷却用ファンを設け、前記本体ケース内に前記第２の冷却用ファンから送出される空気流を前記光源近傍へ導くダクトとを設けるようにしたものである。請求項２記載の発明は、Ｒ用液晶表示パネルとＧ用液晶表示パネルとＢ用液晶表示パネルと光源と複数の冷却用ファンとを本体ケースに備えた液晶プロジェクタにおいて、前記本体ケースに吸気口と排気口をそれぞれ１つづつ設け、前記本体ケース内における空気流に対して、前記複数の冷却用ファンと前記Ｒ用液晶表示パネルとＧ用液晶表示パネルとＢ用液晶表示パネルと前記光源とがすべて直列に設けたものである。」と訂正する。
（５４）【発明の名称】
液晶プロジェクタ
（５７）【特許請求の範囲】
　【請求項１】　液晶表示パネルと光源と複数の冷却用ファンとを本体ケースに備えた液晶プロジェクタにおいて、
　前記本体ケースの前記液晶表示パネル近傍に吸気口を設け、
　前記本体ケースの前記光源近傍に排気口を設け、
　この排気口に対応して第１の冷却用ファンを設け、
　前記本体ケース内における前記第１の冷却用ファンによる空気流の前記光源と前記液晶表示パネルとの間に第２の冷却用ファンを
設け、
　
前記本体ケース内に前記第２の冷却用ファンから送出される空気流を前記光源近傍へ導くダクトとを設けて
　【請求項２】　
Ｒ用液晶表示パネルとＧ用液晶表示パネルとＢ用液晶表示パネルと
　前記本体ケースに吸気口と排気口をそれぞれ１つづつ設け、
　前記本体ケース内における空気流に対して、前記複数の冷却用ファンと
前記Ｒ用液晶表示パネルとＧ用液晶表示パネルとＢ用液晶表示パネルと
【発明の詳細な説明】
　【０００１】
　【産業上の利用分野】
　この発明は液晶プロジェクタに関する。
　【０００２】
　【従来の技術】
　液晶プロジェクタには、１つの光源からの光をＲ（赤）成分、Ｇ（緑）成分、Ｂ（青）成分の３つの光に分散し、それぞれ対応する透過型の液晶表示パネルに照射させ、各液晶表示パネルにＲ、Ｇ、Ｂの３色に分解されて表示されたテレビジョン等の各カラー画像をスクリーンに重畳させて拡大投影し、同時に光源および液晶表示パネル等を空冷するようにしたものがある。
　【０００３】
　図４は従来のこのような液晶プロジェクタの一例の概略構成を示したものである。この液晶プロジェクタは長方形状の本体ケース１を備えている。本体ケース１の内部は、ガラス板等からなる透明な隔板２によって光源室３と液晶表示パネル室４とに分離されている。隔板２は、本体ケース１の一方の長辺と直交する第１の隔板部２ａと、この第１の隔板部２ａの一端部から本体ケース１の長辺と平行する方向に延びる第２の隔板部２ｂと、この第２の隔板部２ｂの一端部から本体ケース１の他方の長辺と直交する方向に延びる第３の隔板部２ｃとからなっている。光源室３の本体ケース１の一方の長辺側には、左側から右側に向かって、第１の反射ミラー１１、第１のダイクロイックミラー１２および第２のダイクロイックミラー１３がこの順で設けられている。光源室３の本体ケース１の他方の長辺側の左側には光源１４およびその電源１５が設けられ、右側には第２の反射ミラー１６が設けられている。液晶表示パネル室４の本体ケース１の一方の長辺側の左側にはＲ用液晶表示パネル２１が設けられ、右側には第３の反射ミラー２２が設けられている。液晶表示パネル室４の本体ケース１の他方の長辺側には、左側から右側に向かって、Ｂ用液晶表示パネル２３、第３のダイクロイックミラー２４および第４のダイクロイックミラー２５がこの順で設けられている。液晶表示パネル室４の第３の隔板部２ｃの近傍にはＧ用液晶表示パネル２６が設けられている。本体ケース１の他方の長辺の第４のダイクロイックミラー２５と対応する所定の個所には投影レンズ２７が設けられている。本体ケース１の左側の短辺の光源１４と対応する所定の個所には排気口３１が設けられ、この排気口３１の内側には第１の冷却用ファン３２が設けられている。本体ケース１の底面の電源１５と対応する所定の個所には吸気口３３が設けられている。本体ケース１の他方の長辺のＢ用液晶表示パネル２３と対応する所定の個所には排気口３４が設けられ、この排気口３４の内側には第２の冷却用ファン３５が設けられている。本体ケース１の一方の長辺のＲ用液晶表示パネル２１と対応する所定の個所には吸気口３６が設けられている。
　【０００４】
　そして、光源１４からの光のうちＲ成分の光は、第１の反射ミラー１１で反射され、第１のダイクロイックミラー１２、第２のダイクロイックミラー１３、第１の隔板部２ａおよびＲ用液晶表示パネル２１を透過し、第３の反射ミラー２２で反射され、第４のダイクロイックミラー１２を透過し、投影レンズ２７に入射される。Ｇ成分の光は、第１の反射ミラー１１、第１のダイクロイックミラー４および第２の反射ミラー１６で反射され、第３の隔板部２ｃ、Ｇ用液晶表示パネル２３および第３のダイクロイックミラー２４を透過し、第４のダイクロイックミラー１２で反射され、投影レンズ２７に入射される。Ｂ成分の光は、第１の反射ミラー１１で反射され、第１のダイクロイックミラー１２を透過し、第２のダイクロイックミラー１３で反射され、第２の隔板部２ｂおよびＢ用液晶表示パネル２６を透過し、第３のダイクロイックミラー２４および第４のダイクロイックミラー２５で反射され、、投影レンズ２７に入射される。投影レンズ２７に入射されたＲ、Ｇ、Ｂの各成分の光、つまり各液晶表示パネル２１、２６、２３にＲ、Ｇ、Ｂの３色に分解されて表示されたテレビジョン等の各カラー画像に対応する各光像は、投影レンズ２７によって図示しないスクリーンに重畳されて拡大投影される。一方、第１の冷却用ファン３２が駆動すると、図４において矢印Ａで示すように、吸気口３３から光源室３内に吸い込まれた空気が電源１５および光源１４の各近傍を通過した後、排気口３１から外部に排出され、電源１５および光源１４が冷却される。第２の冷却用ファン３５が駆動すると、図４において矢印Ｂで示すように、吸気口３６から液晶表示パネル室４内に吸い込まれた空気がＲ用液晶表示パネル２１、Ｇ用液晶表示パネル２６およびＢ用液晶表示パネル２３の各近傍を通過した後、排気口３４から外部に排出され、各液晶表示パネル２１、２６、２３が冷却される。
　【０００５】
　【発明が解決しようとする課題】
　しかしながら、従来のこのような液晶プロジェクタでは、光源室３側に第１の冷却用ファン３２およびその吸気口３３、排気口３１を設け、液晶表示パネル室４側に第２の冷却用ファン３５およびその吸気口３６、排気口３４を設けているので、それぞれ独立した２組の吸排気装置が必要になり、次に述べるような問題があった。すなわち、光源室３および液晶表示パネル室４にそれぞれ排気口３１、３４を設けているので、排気口が２つとなり、設計に制約を受け、また各排気口３１、３４が他の装置や壁等の障害物と対向しない位置に配置する必要があり、したがって配置位置にも制約を受け、さらに騒音が大きいという問題があった。また、光源室３および液晶表示パネル室４にそれぞれ吸気口３３、３６を設けているので、吸気口が２つとなり、設計に制約を受け、また各吸気口３３、３６にそれぞれ防塵フイルタを設けることになるので、コスト高となるばかりでなく、防塵フイルタのクリーニングが面倒であるという問題があった。この発明の目的は、冷却用ファンの使用数よりも排気口の数を少なくすることのできる液晶プロジェクタを提供することにある。また、この発明の他の目的は、冷却用ファンの使用数よりも吸気口の数を少なくすることのできる液晶プロジェクタを提供することにある。
　【０００６】
　【課題を解決するための手段】
　
請求項１記載の発明は、液晶表示パネルと光源と複数の冷却用ファンとを本体ケースに備えた液晶プロジェクタにおいて、前記本体ケースの前記液晶表示パネル近傍に吸気口を設け、前記本体ケースの前記光源近傍に排気口を設け、この排気口に対応して第１の冷却用ファンを設け、前記本体ケース内における前記第１の冷却用ファンによる空気流の前記光源と前記液晶表示パネルとの間に第２の冷却用ファンを設け、前記本体ケース内に前記第２の冷却用ファンから送出される空気流を前記光源近傍へ導くダクトとを設けるようにしたものである。請求項２記載の発明は、Ｒ用液晶表示パネルとＧ用液晶表示パネルとＢ用液晶表示パネルと光源と複数の冷却用ファンとを本体ケースに備えた液晶プロジェクタにおいて、前記本体ケースに吸気口と排気口をそれぞれ１つづつ設け、前記本体ケース内における空気流に対して、前記複数の冷却用ファンと前記Ｒ用液晶表示パネルとＧ用液晶表示パネルとＢ用液晶表示パネルと前記光源とがすべて直列に設けたものである。
　【０００７】
　【作用】
　請求項１−２記載の発明によれば、本体ケース内に複数の冷却ファンを設けて機器内を良好に冷却する場合でも、吸気口または排気口の数を冷却用ファンの数より少なくすることができ、騒音の低減、防塵フィルタ数の削減、吸排気口の配置制約の低減等が望める。
　【０００８】
　【実施例】
　図１はこの考案の一実施例における液晶プロジェクタの概略構成を示したものである。この図において、図４と同一名称部分には同一の符号を付し、その説明を適宜省略する。
　【０００９】
　この液晶プロジェクタでは、図４に示す従来の液晶プロジェクタと比較して、光源室３側の吸気口３３および液晶表示パネル室４側の排気口３４が設けられていない。その代わりに、第２の冷却用ファン３５が本体ケース１内において光源室３と液晶表示パネル室４との間に設けられている。また、本体ケース１内における第２の冷却用ファン３５の排気側には、第２の冷却用ファン３５から送出される空気を光源室３内の電源１５および光源１４の各近傍にスムースに導くためのダクト４１が設けられている。
　【００１０】
　この液晶プロジェクタでは、第１および第２の冷却用ファン３２、３５が駆動すると、図１において矢印Ｃで示すように、第２の冷却用ファン３５の駆動により吸気口３６から液晶表示パネル室４内に吸い込まれた空気がＲ用液晶表示パネル２１、Ｇ用液晶表示パネル２６およびＢ用液晶表示パネル２１の各近傍を通過してこれらを冷却した後、第２の冷却用ファン３５からダクト４１内に送出され、この送出された空気が第１の冷却用ファン３２の駆動により光源室３内に吸い込まれ、この吸い込まれた空気が電源１５および光源１４の各近傍を通過してこれらを冷却した後、排気口３１から外部に排出される。
　【００１１】
　このように、この液晶プロジェクタでは、液晶表示パネル室４側のみに吸気口３６を設け、光源室３側のみに排気口３１を設け、本体ケース１内に設けた第２の冷却用ファン３５によって液晶表示パネル室４内の空気を光源室３内に流入させているので、冷却用ファン３２、３５が２つであっても、吸気口３６および排気口３１を共に１つとすることができる。
　【００１２】
　図２および図３はこの考案の他の実施例における液晶プロジェクタの概略構成を示したものである。これらの図において、図１と同一名称部分には同一の符号を付し、その説明を適宜省略する。
　【００１３】
　この液晶プロジェクタでは、ダクト４１の下方における本体ケース１の底面の所定の個所に吸気口４２が設けられている。そして、図２および図３において矢印Ｄで示すように、第１の冷却用ファン３２の駆動により、第２の冷却用ファン３５からダクト４１内に送出された空気と共に、吸気口４２からの空気が光源室３内に吸い込まれ、この吸い込まれた空気が電源１５および光源１４の各近傍を通過してこれらを冷却した後、排気口３１から外部に排出されるようになっている。したがって、この液晶プロジェクタでは、図１に示す液晶プロジェクタと比較して、電源１５および光源１４に対する冷却効果を高めることができる。
　【００１４】
　【発明の効果】
　以上説明したように、請求項１−２記載の発明によれば、本体ケース内に複数の冷却ファンを設けて機器内を良好に冷却する場合でも、吸気口または排気口の数を冷却用ファンの数より少なくすることができ、したがって騒音の低減、防塵フイルタ数の削減、吸排気口の配置制約の低減が可能となる。
【図面の簡単な説明】
　【図１】
　この考案の一実施例における液晶プロジェクタの概略構成を示す平面図。
　【図２】
　この考案の他の実施例における液晶プロジェクタの概略構成を示す平面図。
　【図３】
　図２に示す液晶プロジェクタの正面図。
　【図４】
　従来の液晶プロジェクタの一例の概略構成を示す平面図。
　【符号の説明】
　１　本体ケース
　２　隔板
　３　光源室
　４　液晶表示パネル室
３１　排気口
３２　第１の冷却用ファン
３５　第２の冷却用ファン
３６　吸気口
４１　ダクト
４２　吸気口